【手続補正書】
【提出日】平成18年5月19日(2006.5.19)
【手続補正１】
【補正対象書類名】明細書
【補正対象項目名】特許請求の範囲
【補正方法】変更
【補正の内容】
【特許請求の範囲】
【請求項１】  時分割多元接続方式を採用したセルラ移動通信システムで使用される移動通信端末装置において、
切替元の基地局との間の通信を中断した状態で、切替先の基地局を選択して当該基地局との間で所定の接続制御手順を実行したのち接続先の基地局を切り替える第１のハンドオーバを実行する第１のハンドオーバ制御手段と、
切替元の基地局との間の通信を維持した状態で、自装置に割り当てられたスロット以外の期間を使用して、少なくとも切替先の基地局を選択する動作を含む接続制御手順を実行したのち、接続先の基地局を切り替える第２のハンドオーバを実行する第２のハンドオーバ制御手段と、
接続先の基地局から到来する無線信号の受信品質を検出する受信品質検出手段と、
接続先の基地局を切り替える場合に、前記受信品質検出手段の検出結果に基づいて前記第１のハンドオーバと前記第２のハンドオーバとを選択的に実行させるハンドオーバ選択手段とを具備したことを特徴とする移動通信端末装置。
【請求項２】  前記ハンドオーバ選択手段は、
第１の受信品質判定レベルと、この第１の受信品質判定レベルよりも高く設定した第２の受信品質判定レベルとを有し、
前記受信品質検出手段により検出された受信品質が前記第１の受信品質判定レベル以上でかつ前記第２の受信品質判定レベルより低い状態では前記第２のハンドオーバを主として選択し実行させ、前記受信品質検出手段により検出された受信品質が前記第１の受信品質判定レベル未満の場合には前記第１のハンドオーバを主として選択し実行させることを特徴とする請求項１記載の移動通信端末装置。
【請求項３】  前記受信品質検出手段が、切替元の基地局から到来する無線信号の受信電界強度を検出する機能を有する場合に、
前記ハンドオーバ選択手段は、
受信電界強度を判定するためのしきい値として、第１のしきい値と、この第１のしきい値よりも高く設定した第２のしきい値とを有し、
前記受信品質検出手段により検出された受信電界強度が前記第１のしきい値以上でかつ前記第２のしきい値未満の状態では前記第２のハンドオーバを選択し実行させ、検出された受信電界強度が前記第１のしきい値未満の状態では先ず前記第２のハンドオーバを選択し実行させ当該第２のハンドオーバが失敗した場合には引き続き前記第１のハンドオーバを選択し実行させることを特徴とする請求項１記載の移動通信端末装置。
【請求項４】  前記受信品質検出手段が、切替元の基地局から到来する無線信号の受信誤り率を検出する機能を有する場合に、
前記ハンドオーバ選択手段は、
受信誤り率を判定するためのしきい値として、第３のしきい値と、この第３のしきい値よりも低く設定した第４のしきい値とを有し、
前記受信品質検出手段により検出された受信誤り率が前記第４のしきい値以上でかつ前記第３のしきい値未満の状態では前記第２のハンドオーバを選択実行させ、
検出された受信誤り率が前記第３のしきい値以上の状態では前記第１のハンドオーバを選択実行させることを特徴とする請求項１記載の移動通信端末装置。
【請求項５】  前記受信品質検出手段が、切替元の基地局から到来する無線信号の受信電界強度及び受信誤り率をそれぞれ検出する機能を有する場合に、
前記ハンドオーバ選択手段は、
受信電界強度を判定するためのしきい値として、第１のしきい値と、この第１のしきい値よりも高く設定した第２のしきい値とを有すると共に、受信誤り率を判定するためのしきい値として、第３のしきい値と、この第３のしきい値よりも低く設定した第４のしきい値とを有し、
前記受信品質検出手段により得られた受信誤り率の検出値が前記第３のしきい値以上の状態では、受信電界強度の検出値に拘わらず前記第１のハンドオーバ選択し実行させ、
前記受信品質検出手段により得られた受信誤り率の検出値が前記第４のしきい値以上で前記第３のしきい値未満の状態にありかつ受信電界強度の検出値が第２のしきい値未満の状態、及び受信誤り率の検出値が前記第４のしきい値未満でかつ受信電界強度の検出値が前記第１のしきい値未満の状態では、前記第２のハンドオーバを選択し実行させて当該第２のハンドオーバが失敗した場合に前記第１のハンドオーバを選択し実行させ、
前記受信誤り率の検出値が前記第４のしきい値未満でかつ前記受信電界強度の検出値が前記第１のしきい値以上で第２のしきい値未満の状態では、前記第２のハンドオーバを選択し実行させて当該第２のハンドオーバが失敗した場合にはハンドオーバを中止することを特徴とする請求項１記載の移動通信端末装置。
【請求項６】  前記受信品質検出手段が、切替元の基地局から到来する無線信号の受信電界強度及び受信誤り率をそれぞれ検出する機能を有する場合に、
前記ハンドオーバ選択手段は、
受信電界強度を判定するためのしきい値として、第１のしきい値と、この第１のしきい値よりも高く設定した第２のしきい値とを有すると共に、受信誤り率を判定するためのしきい値として、第３のしきい値と、この第３のしきい値よりも低く設定した第４のしきい値とを有し、
前記受信品質検出手段により得られた受信誤り率の検出値が前記第３のしきい値以上の状態では、受信電界強度の検出値に拘わらず前記第１のハンドオーバを選択し実行させ、
前記受信品質検出手段により得られた受信誤り率の検出値が前記第４のしきい値未満でかつ受信電界強度の検出値が前記第１のしきい値未満の状態では、前記第２のハンドオーバを選択し実行させて当該第２のハンドオーバが失敗した場合に前記第１のハンドオーバを選択実行させ、
前記受信品質検出手段により検出された受信誤り率の検出値が前記第４のしきい値未満でかつ受信電界強度の検出値が前記第１のしきい値以上で第２のしきい値未満の状態では、前記第２のハンドオーバを選択し実行させて当該第２のハンドオーバが失敗した場合にはハンドオーバを中止することを特徴とする請求項１記載の移動通信端末装置。
【請求項７】  前記受信品質検出手段により検出された受信誤り率が前記第４のしきい値以上で前記第３のしきい値未満の状態にありかつ受信電界強度が第２のしきい値以上の状態にある場合には、ハンドオーバを起動せずに、通信チャネルを接続中の基地局が保有する他の通信チャネルに切り替える制御を実行する通信チャネル切替制御手段を、さらに備えたことを特徴とする請求項５又は６記載の移動通信端末装置。
【請求項８】  切替元の基地局との間の通信を中断した状態で、切替先の基地局を選択して当該基地局との間で所定の接続制御手順を実行したのち接続先の基地局を切り替える第１のハンドオーバを実行する第１のハンドオーバ制御手段と、
切替元の基地局との間の通信を維持した状態で、少なくとも切替先の基地局を選択する動作を含む接続制御手順を実行したのち、接続先の基地局を切り替える第２のハンドオーバを実行する第２のハンドオーバ制御手段と、
接続先の基地局から到来する無線信号の受信品質を検出する受信品質検出手段と、
接続先の基地局を切り替える場合に、前記受信品質検出手段の検出結果に基づいて前記第１のハンドオーバと前記第２のハンドオーバとを選択的に実行させるハンドオーバ選択手段とを具備したことを特徴とする移動通信端末装置。
【請求項９】  時分割多元接続方式を採用したセルラ移動通信システムで使用され、接続先の基地局を切り替える場合に、切替元の基地局との間の通信を維持した状態で、自装置に割り当てられたスロット以外の期間を使用して、少なくとも切替先の基地局を選択する動作を含む接続制御手順を実行したのち、接続先の基地局を切り替えるハンドオーバ機能を備えた移動通信端末装置において、
前記ハンドオーバ機能の実行中に、切替先の基地局から割当てられた通信チャネルが切替元の基地局との間で使用中の通信チャネルと同一スロットだった場合に、前記切替元の基地局との間の通信を中断して前記切替先の基地局から割当てられた通信チャネルを使用して前記接続制御手順を実行する第１の接続制御手段と、
前記ハンドオーバ機能の実行中に、切替先の基地局から割当てられた通信チャネルが切替元の基地局との間で使用中の通信チャネルと同一スロットだった場合に、前記切替元の基地局との間の通信を維持した状態で前記切替先の基地局に対し通信チャネルの再割当てを要求し、この要求に対し切替先の基地局から異なるスロットを使用する通信チャネルが割当てられた場合に当該通信チャネルを使用して前記接続制御手順を実行する第２の接続制御手段と、
切替元の基地局から到来する無線信号の受信品質を検出する受信品質検出手段と、
前記接続制御手順を実行する際に、前記受信品質検出手段の検出結果に基づいて前記第１の接続制御手段と第２の接続制御手段とを選択的に実行させる選択手段とを具備したことを特徴とする移動通信端末装置。
【請求項１０】  前記第２の接続制御手段は、通信チャネルの再割当ての要求を、切替先の基地局から異なるスロットを使用する通信チャネルが割当てられるまで、予め決められた回数を上限として繰り返すことを特徴とする請求項９記載の移動通信端末装置。
【請求項１１】  前記第２の接続制御手段は、通信チャネルの再割当ての要求を繰り返す際に、前記受信品質検出手段により検出された受信品質が所定レベル以上を維持しているか否かを判定し、受信品質が所定レベル以上を維持している場合に通信チャネルの再割当ての要求を繰り返し、維持していない場合には前記第１の制御手段を実行させることを特徴とする請求項１０記載の移動通信端末装置。
【請求項１２】  前記第１のハンドオーバ制御手段が、第１の受信品質判定レベル以上でかつ前記第２の受信品質判定レベルより相対的に低く設定された第１の基地局選択レベルを有する場合に、
前記第２のハンドオーバ制御手段は、前記第２の受信品質判定レベルより高く設定された第２の基地局選択レベルを備え、受信品質がこの第２の基地局選択レベルを超える基地局を切替先の基地局として選択することを特徴とする請求項２記載の移動通信端末装置。
【請求項１３】  前記第２のハンドオーバ制御手段は、前記ハンドオーバ選択手段が、切替元の基地局からの受信電界強度を判定して第２のハンドオーバを実行させる場合と、切替元の基地局からの受信誤り率を判定して第２のハンドオーバを実行させる場合とで、第２の基地局選択レベルを異なる値に設定することを特徴とする請求項１２記載の移動通信端末装置。
【手続補正２】
【補正対象書類名】明細書
【補正対象項目名】０００１
【補正方法】変更
【補正の内容】
【０００１】
【発明の属する技術分野】
この発明は、例えばＰＤＣ（Personal Digital Cellular）やＰＨＳ（Personal Handyphone System）のようなセルラ移動通信システムで使用される移動通信端末装置に係わり、特にシームレスハンドオーバ機能を備えた移動通信端末装置に関する。
【手続補正３】
【補正対象書類名】明細書
【補正対象項目名】０００８
【補正方法】変更
【補正の内容】
【０００８】
この発明は上記事情に着目してなされたもので、その第１の目的は、通常のハンドオーバと切替元の基地局との接続を維持した状態で行われるハンドオーバとを効果的に使い分けることができるようにし、これにより通信品質の向上とハンドオーバ成功確率の増加との両立を図った移動通信端末装置を提供することである。
【手続補正４】
【補正対象書類名】明細書
【補正対象項目名】０００９
【補正方法】変更
【補正の内容】
【０００９】
また第２の目的は、切替元の基地局との接続を維持した状態で行われるハンドオーバの実行中に切替先の基地局から切替元の基地局との間で使用中の通信チャネルと同一スロットを使用する通信チャネルが割り当てられた場合に、その時の受信品質に応じて最適な無線接続手順を選択し実行できるようにし、これにより通信品質の維持とハンドオーバの成功の両立を図った移動通信端末装置を提供することである。
【手続補正５】
【補正対象書類名】明細書
【補正対象項目名】００１０
【補正方法】変更
【補正の内容】
【００１０】
さらに第３の目的は、切替元の基地局との接続を維持した状態で行われるハンドオーバにおいて、常に切替元の基地局よりも受信品質が良好な基地局を選択できる移動通信端末装置を提供することである。
【手続補正６】
【補正対象書類名】明細書
【補正対象項目名】００１１
【補正方法】変更
【補正の内容】
【００１１】
【課題を解決するための手段】
上記第１の目的を達成するために第１の発明は、ハンドオーバ手順として、切替元の基地局との間の通信を中断した状態で切替先の基地局を選択して当該基地局との間で所定の接続制御手順を実行したのち接続先の基地局を切り替える第１のハンドオーバ制御手段と、切替元の基地局との間の通信を維持した状態で、少なくとも切替先の基地局を選択する動作を含む接続制御手順を実行したのち、接続先の基地局を切り替える第２のハンドオーバ制御手段とを備えた移動通信端末装置にあって、
接続先の基地局から到来する無線信号の受信品質を検出する受信品質検出手段と、ハンドオーバ選択手段とを備える。そして、接続先の基地局をハンドオーバにより切り替える場合に、上記ハンドオーバ選択手段により、上記受信品質検出手段で検出された受信品質に基づいて、上記第１のハンドオーバと上記第２のハンドオーバとを選択的に実行させるようにしたものである。
【手続補正７】
【補正対象書類名】明細書
【補正対象項目名】００１３
【補正方法】変更
【補正の内容】
【００１３】
したがってこの発明によれば、次のような作用効果が呈せられる。すなわち、第１のハンドオーバは、切替元の基地局との間の通信を中断してすべての基地局の中から切替先の基地局を選択するため、切替先として適切な基地局を選択できる確率が高くなるが、その反面通信が中断されることにより通信品質の劣化を生じる。これに対し第２のハンドオーバは、ハンドオーバ期間中切替元の基地局との間の通信を維持するため通信品質を高く保つことができるが、失敗する可能性もある。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】０１０１
【補正方法】変更
【補正の内容】
【０１０１】
【発明の効果】
以上詳述したように第１の発明では、ハンドオーバ手順として、切替元の基地局との間の通信を中断した状態で切替先の基地局を選択して当該基地局との間で所定の接続制御手順を実行したのち接続先の基地局を切り替える第１のハンドオーバ制御手段と、切替元の基地局との間の通信を維持した状態で、切替先の基地局を選択し当該基地局との間で所定の接続制御手順を実行したのち接続先の基地局を切り替える第２のハンドオーバ制御手段とを備えた移動通信端末装置にあって、接続先の基地局から到来する無線信号の受信品質を検出する受信品質検出手段と、ハンドオーバ選択手段とを備え、接続先の基地局をハンドオーバにより切り替える場合に、上記ハンドオーバ選択手段により、上記受信品質検出手段で検出された受信品質に基づいて、上記第１のハンドオーバと上記第２のハンドオーバとを選択的に実行させるようにしている。
【手続補正１１】
【補正対象書類名】明細書
【補正対象項目名】０１０２
【補正方法】変更
【補正の内容】
【０１０２】
したがって第１の発明によれば、通常の第１のハンドオーバと第２のハンドオーバとを効果的に使い分けることが可能となり、これにより通信品質の向上とハンドオーバ成功確率の増加との両立を図った移動通信端末装置を提供することができる。